(57)【要約】【課題】被介助者がベッドと車椅子との間を移動する際の介助者の介助の補助を可能にした使い勝手のよいベッド車椅子間移動補助装置を提供する。【解決手段】ベッド２００の近傍の床上に載置され、中央に管状体１１が植設されるベース部１２と、管状体１１に挿入される第１の支持体１０と、下方に向けて植設され、第１の支持体１０が回動自在に挿入される第１の管状体部２１を有するとともに、第１の支持体１０から偏奇した位置で第１の支持体１０の軸に直交する方向に取り付けられた第２の支持体２２を有するヘッド部２０と、第２の支持体２２に取り付けられ、被介助者が載置され、その先端が車椅子３００の座面３１０上に乗るように回動した状態で、その多くの部分がベッド上にあるようにした略くの字形状の滑り板３０と、滑り板３０のベッド側の縁がベッド上から離れる方向の回動を規制する規制機構８０を具備する。【選択図】  図１
2018029855.tif 000002
【特許請求の範囲】
【請求項１】
被介助者がベッドと車椅子との間を移動する際の介助者の介助を補助するベッド車椅子間移動補助装置であって、
前記ベッドの近傍の床上に載置され、中央に管状体が植設されるベース部と、
前記管状体に挿入される第１の支持体と、
下方に向けて植設され、前記第１の支持体が回動自在に挿入される第１の管状体部を有するとともに、前記第１の支持体から偏奇した位置で前記第１の支持体の軸に直交する方向に取り付けられた第２の支持体を有するヘッド部と、
前記第２の支持体に取り付けられ、前記被介助者を前記ベッドと前記車椅子との間で移動させる際に、前記被介助者が載置され、その先端が前記車椅子の座面上に乗るように回動した状態で、その多くの部分が前記ベッド上にあるようにした略くの字形状の滑り板と、
前記被介助者を前記ベッドと前記車椅子との間で移動させる際に、前記滑り板の前記ベッド側の縁が前記ベッド上から離れる方向の回動を規制する規制手段と
を具備することを特徴とするベッド車椅子間移動補助装置。
【請求項２】
前記滑り板は、その先端の縁部に該滑り板を前記車椅子に固定するための固定手段を有することを特徴とする請求項１に記載のベッド車椅子間移動補助装置。
【請求項３】
前記第２の支持体が回動自在に挿入されるとともに、前記滑り板を取り付ける滑り板取付部が形成された第２の管状体部を有し、
前記規制手段は、
前記第２の支持体の周面に所定の角度範囲で形成された規制溝と、
前記第２の管状体部の内周面から前記規制溝に突出する突出部と
を具備することを特徴とする請求項１または２に記載のベッド車椅子間移動補助装置。
【発明の詳細な説明】
【技術分野】
【０００１】
この発明は、被介助者がベッドと車椅子との間を移動する際の介助者の介助を補助するベッド車椅子間移動補助装置に関する。
【背景技術】
【０００２】
一般に、下半身等に障害を有する身体不自由者は、この身体不自由者の自由な活動を可能にするためにベッドと車椅子との間を頻繁に移動することがある。このベッドと車椅子との間の移動は一日に十数回に及ぶことがある。
【０００３】
しかし、下半身に障害を有する身体不自由者は、上半身にも何らかの障害がある場合も多く、このような場合、ベッドと車椅子との間の移動に際して介助者の介助が必要となる場合が多い。このベッドと車椅子との間の移動に際しての介助者の負担は非常に大きなものになり、これが介助者の腰痛の発生の大きな原因のとなって、介助者が介護施設に定着しない１つの要因となっている。
【０００４】
従来、身体不自由者が車椅子とベッドの間を安全に移動できるようにする器具としては、特許文献１に記載された「車椅子からベッドへの移動器具」が知られている。
【０００５】
この特許文献１に記載された「車椅子からベッドへの移動器具」は、車椅子の座席とベッドとの両上面の間を渡す長板状の渡し材１を有し、渡し材１の長尺側の縁に、車椅子の前面に位置するフレーム部ｄが挿入できる凹部１１を形成し、渡し材１の下面に渡し材１を支持する支持材２を設けて構成され、これによって、車椅子の座席とベッドとの間を渡し材１を介して直接平面によって連絡し、その上、車椅子のフレーム部ｄが渡し材１内に挿入されることになるので、車椅子の座席とベッドとの間の間隔は狭くなり、その分、身体の移動距離は短くなり、下半身不自由者による移動が楽になるというものである。
【先行技術文献】
【特許文献】
【０００６】
【特許文献１】特開２００６−１７５０６９号公報
【発明の概要】
【発明が解決しようとする課題】
【０００７】
しかしながら、特許文献１に記載された「車椅子からベッドへの移動器具」は、サイズが大きくなるため、ベッドの横に置くと邪魔になり、また、上半身にも障害がある身体不自由者にとっては、車椅子からベッドへの移動に際しては介助者の介助が必要となるので、この場合も身体不自由者の足が器具と干渉するので使い勝手がよいものではなかった。
【０００８】
そこで、この発明は、被介助者がベッドと車椅子との間を移動する際の介助者の介助の補助を可能にした使い勝手のよいベッド車椅子間移動補助装置を提供することを目的とする。
【課題を解決するための手段】
【０００９】
上記目的を達成するため、請求項１の発明は、被介助者がベッドと車椅子との間を移動する際の介助者の介助を補助するベッド車椅子間移動補助装置であって、前記ベッドの近傍の床上に載置され、中央に管状体が植設されるベース部と、前記管状体に挿入される第１の支持体と、下方に向けて植設され、前記第１の支持体が回動自在に挿入される第１の管状体部を有するとともに、前記第１の支持体から偏奇した位置で前記第１の支持体の軸に直交する方向に取り付けられた第２の支持体を有するヘッド部と、前記第２の支持体に取り付けられ、前記被介助者を前記ベッドと前記車椅子との間で移動させる際に、前記被介助者が載置され、その先端が前記車椅子の座面上に乗るように回動した状態で、その多くの部分が前記ベッド上にあるようにした略くの字形状の滑り板と、前記被介助者を前記ベッドと前記車椅子との間で移動させる際に、前記滑り板の前記ベッド側の縁が前記ベッド上から離れる方向の回動を規制する規制手段とを具備することを特徴とする。
【００１０】
請求項２の発明は、請求項１の発明において、前記滑り板は、その先端の縁部に該滑り板を前記車椅子に固定するための固定手段を有することを特徴とする。
【００１１】
請求項３の発明は、請求項１または２の発明において、前記第２の支持体が回動自在に挿入されるとともに、前記滑り板を取り付ける滑り板取付部が形成された第２の管状体部を有し、前記規制手段は、前記第２の支持体の周面に所定の角度範囲で形成された規制溝と、前記第２の管状体部の内周面から前記規制溝に突出する突出部とを具備することを特徴とする。
【発明の効果】
【００１２】
この発明によれば、簡易な構成で被介助者がベッドと車椅子との間を移動する際の補助が可能になる使い勝手のよいベッド車椅子間移動補助装置を提供することができる。
【図面の簡単な説明】
【００１３】
【図１】図１は、この発明に係わるベッド車椅子間移動補助装置の平面図である。
【図２】図２は、図１に示したベッド車椅子間移動補助装置の正面図である。
【図３】図３は、図１に示したベッド車椅子間移動補助装置の側面図である。
【図４】図４は、図１に示したベッド車椅子間移動補助装置の平面図及び正面図の要部拡大図である。
【図５】図５は、図１に示したベッド車椅子間移動補助装置の側面図の要部拡大図である。
【図６】図６は、この発明に係わるベッド車椅子間移動補助装置の使用例を説明する図である。
【図７】図７は、この発明に係わるベッド車椅子間移動補助装置の滑り板の動作を説明する図である。
【図８】図８は、この発明に係わるベッド車椅子間移動補助装置の不使用時の収容状態を示す図である。
【発明を実施するための形態】
【００１４】
以下、この発明に係わるベッド車椅子間移動補助装置の実施の形態を添付図面を参照して詳細に説明する。
【００１５】
図１は、この発明に係わるベッド車椅子間移動補助装置の平面図であり、図２は、その正面図、図３はその側面図である。
【００１６】
図１乃至図３において、このベッド車椅子間移動補助装置１００は、図示しない被介助者がベッドと車椅子との間を移動する際の介助者の介助を補助するもので、ベッドの近傍の床上に載置され、中央に管状体１１が植設されるベース部１２を有する。
【００１７】
ベース部１２の管状体１１には、第１の支持体１０が挿入され、第１の支持体１０の上部には、下方に向けて植設され、第１の支持体１０が回動自在に挿入される第１の管状体部２１が設けられている。
【００１８】
第１の支持体１０には、該第１の支持体１０の軸から偏奇した位置で第１の支持体１０の軸に直交する方向に取り付けられた第２の支持体２２を有するヘッド部２０が設けられており、第２の支持体２２には、被介助者をベッドと車椅子との間で移動させる際に、被介助者が載置され、その先端が車椅子の座面上に乗るように回動した状態で、その多くの部分がベッド上にあるようにした略くの字形状の滑り板３０が取り付けられている。
【００１９】
また、被介助者をベッドと車椅子との間で移動させる際に、滑り板３０のベッド側の縁がベッド上から離れる方向の回動を規制する規制手段としての規制機構８０が設けられている。
【００２０】
ここで、第２の支持体２２に対する滑り板３０の取り付けは、第２の支持体２２が回動自在に挿入されるとともに、滑り板３０を取り付ける滑り板取付部４０が形成された第２の管状体部４１を介して行われる。
【００２１】
すなわち、第２の支持体２２は、ヘッド部２０の第１の支持体１０から偏奇した位置に植設され、この第２の支持体２２は、第２の管状体部４１に回動自在に挿入され、第２の管状体部４１に滑り板取付部４０が固設されている。この滑り板取付部４０による滑り板３０の取り付けは、例えば、ねじ止めにより固定される。
【００２２】
また、第２の支持体２２と滑り板３０との取付部には、規制機構８０が設けられている。この規制機構８０は、被介助者をベッドと車椅子との間で移動させる際に、滑り板３０のベッド側の縁がベッド上から離れる方向の回動を規制している。
【００２３】
図４は、図１に示したベッド車椅子間移動補助装置の平面図及び正面図の要部拡大図であり、図５は、図１に示したベッド車椅子間移動補助装置の側面図の要部拡大図である。
【００２４】
図４（Ａ）、図４（Ｂ）及び図５に詳細に示すように、第２の支持体２２の周面には所定の角度範囲で規制溝８１が形成され、この規制溝８１には、ねじの先端が突出部８２として突出しており、このねじの先端の突出部８２が規制溝８１に係合することにより、滑り板３０のベッド側の縁がベッド上から離れる方向、すなわち、図５で矢印Ａで示す方向への回動を規制し、被介助者をベッドと車椅子との間で移動させる際に、被介助者が滑り板３０から滑り落ちるのを防止している。
【００２５】
ここで、この規制機構８０による滑り板３０の回動許容範囲は、後に説明する滑り板３０の収納を可能にするために、滑り板３０が水平方向から約−９０度の範囲となるように設定され、これに応じて規制溝８１の形成角度範囲が決定されている。
【００２６】
また、滑り板３０には、その先端の縁部に、滑り板３０を車椅子に固定するための固定手段としての凹部５０が形成されている。なお、この実施例では、固定手段としての凹部５０が２箇所に形成されているが、これは、異なる種類の車椅子の構造に対応するためである。
【００２７】
被介助者をベッドと車椅子との間で移動させる際には、この凹部５０を車椅子のフレーム等に係合させ、図示しない止め具等で、滑り板３０の先端部が車椅子の座面上に乗った状態で、滑り板３０を車椅子に固定する。これにより、被介助者をベッドと車椅子との間で移動させる際に、車椅子がベッドから離れるのを防止することができる。
【００２８】
また、第１の支持体１０には、滑り板３０のベッドの上面に対する高さを調整する調整手段としての調整機構６０が設けられている。この調整機構６０は、第１の支持体１０の軸方向に移動して第１の支持体１０に固定可能なように構成されており、図４（Ａ）、図４（Ｂ）及び図５に詳細に示すように、スリット６２で２つに割れた第１の支持体１０を囲む円筒部６１と、このスリット６２を締め付けるねじ６３から構成されている。
【００２９】
すなわち、円筒部６１を第１の支持体１０の所望の位置に移動させて、ねじ６３を締め付けることによって、円筒部６１を第１の支持体１０の所望の位置に固定することができ、これによりこの円筒部６１がベッドのフレームに設けられまたは取り付けられた取り付け穴に挿入される第１の支持体１０がストッパになり、滑り板３０のベッドの上面に対する高さを調整することができる。
【００３０】
また、第１の支持体１０がヘッド部２０の第１の管状体部２１から抜け落ちることを防止する脱落防止手段としての脱落防止機構７０が設けられている。この脱落防止機構７０は、第１の支持体１０の該周面に形成された脱落防止溝７１と、第１の管状体部２１の内周面から脱落防止溝７１に突出するねじの先端からなる突出部７２から構成される。第１の支持体１０が第１の管状体部２１の中で回動するに際して、突出部７２は、脱落防止溝７１に係合して第１の支持体１０が第１の管状体部２１から抜け落ちることを防止している。
【００３１】
図６は、この発明に係わるベッド車椅子間移動補助装置の使用例を説明する図である。
【００３２】
図１乃至図５に示したベッド車椅子間移動補助装置１００の使用に際しては、ベッド２００の近傍の床上にベース部１２を載置する。ベース部１２の中央に植設された取り付け管状体１１には、第１の支持体１０が挿入されており、調整機構６０により滑り板３０は、ベッド２００のマット２１０に接するように予め高さ調整されている。
【００３３】
このベッド車椅子間移動補助装置１００の使用例としては、
１）被介助者がベッド２００から車椅子３００へ移動する際の介助者の介助を補助する場合
２）被介助者が車椅子３００からベッド２００へ移動する際の介助者の介助を補助する場合
の２つの形態がある。
【００３４】
被介助者がベッド２００から車椅子３００へ移動する際の介助者の介助を補助する場合は、まず、滑り板３０がベッド２００のマット２１０上にあるようにセットする。
【００３５】
そして、第１の支持軸１０を中心として、滑り板３０を回動させ、滑り板３０をベッド２００の縁部まで引き寄せる。
【００３６】
次に、車椅子３００の位置およびこの車椅子３００にストッパーがかけられているかを確認し、その後、滑り板３０を車椅子３００の方向に回動させ、滑り板３０の先端が、図６に実線で示すように、ベッド２００の縁部から車椅子３００側に迫り出すようにして、滑り板３０の先端が車椅子３００の座面３１０に架かり、かつ、凹部５０が車椅子３００のフレームの一部に係合していることを確認する。
【００３７】
そして、図示しないフック部材等を用いて滑り板３０の先端部を車椅子３００に固定する。
【００３８】
その後、被介助者を滑り板３０上に乗せて滑らせ、被介助者を滑り板３０上から車椅子３００の座面３１０上に移動させる。このとき、滑り板３０の先端はフック部材等により車椅子３００に固定されているので、滑り板３０がベッド２００側に逃げてしまうことはない。
【００３９】
なお、このベッド車椅子間移動補助装置１００においては、滑り板３０の形状として、その先端が車椅子３００の座面３１０上に乗るように回動した状態で、その多くの部分がベッド２００上にあるようにした略くの字形状を採用しているので、このベッド車椅子間移動補助装置１００を用いて、被介助者をベッド２００から車椅子３００へ移動させる際に、滑り板３０に加わる被介助者の荷重は、その大部分がベッド２００マット２１０、フレーム２２０等によって支えられるので、ヘッド部２０、第１の支持軸１０には多大な荷重はかからず、このために、これら部分に対する要求強度を低く抑えた軽量化が可能になる。また、第１の支持体１０の先端を挿入する取り付け穴２３０の要求強度も小さくなる。
【００４０】
また、このベッド車椅子間移動補助装置１００においては、規制機構８０により、滑り板３０のベッド２００側の縁がベッド２００上から離れる方向、すなわち、図５で矢印Ａで示す方向への回動を規制しているので、被介助者をベッドと車椅子との間で移動させる際に、滑り板３０が第２の支持体２２の周りで回動して被介助者が滑り落ちるという不都合も生じない。
【００４１】
次に、滑り板３０の先端と車椅子３００とのフック部材等による固定を解除し、車椅子３００を後退させ、車椅子３００の座面３１０から滑り板３０の先端を外し、その後滑り板３０を元の位置に戻すことにより、被介助者がベッド２００から車椅子３００へ移動する際の介助者の介助の補助は完了する。
【００４２】
次に、被介助者が車椅子３００からベッド２００へ移動する際の介助者の介助を補助する場合について説明する。
【００４３】
被介助者が車椅子３００からベッド２００へ移動する際の介助者の介助を補助する場合は、滑り板３０をベッド２００のマット２１０上にある位置から車椅子３００側に迫り出すようする。
【００４４】
そして、被介助者が乗った車椅子３００を、滑り板３０の先端が車椅子３００の座面３１０に架かるように移動して、車椅子３００のストッパーをかける。
【００４５】
そして、滑り板３０の凹部５０が車椅子３００の一部に係合していることを確認し、図示しないフック部材等を用いて滑り板３０の先端を車椅子３００に固定する。
【００４６】
次に、車椅子３００の被介助者を滑り板３０上を滑らせてベッド２００のマット２１０上に移動させる。このとき滑り板３０の先端は、フック部材等により車椅子３００に固定されているので、滑り板３０がベッド２００側に逃げてしまうことはない。
【００４７】
その後、フック部材等による滑り板３０の先端と車椅子３００との固定を解除し、滑り板３０を元の位置に戻すことにより、被介助者が車椅子３００からベッド２００のマット２１０上へ移動する際の介助者の介助の補助は完了する。
【００４８】
なお、被介助者が車椅子３００からベッド２００へ移動する際のこのベッド車椅子間移動補助装置１００の各部の作用効果も被介助者がベッド２００から車椅子３００へ移動する際と同様である。
【００４９】
次に、図７、図８を参照してこのベッド車椅子間移動補助装置１００の不使用時の収容について説明する。
【００５０】
図１乃至図５に示したベッド車椅子間移動補助装置１００の滑り板３０は、図７に示すように、第１の支持体１０を中心軸として水平方向の面内で回動可能であり、また、第２の支持体２２を中心軸として、垂直方向の面内で回動可能に構成されている。
【００５１】
そこで、このベッド車椅子間移動補助装置１００の不使用時は、滑り板３０の水平方向の面内での回動、垂直方向の面内での回動を利用して、滑り板３０を、図８に示すように、ベッド２００のサイドレール２４０側に回動し、収容するように構成されている。
【００５２】
このような滑り板３０の収容により、ベッド車椅子間移動補助装置１００の不使用時には、このベッド車椅子間移動補助装置１００により利用されていたベッド２００のセンター部を開けることができ、これによりベッド２００上の被介助者の介護時のスペースを確保することができる。
【００５３】
すなわち、このベッド車椅子間移動補助装置１００は、不使用時には、ベッド２００のサイドレール２４０側に回動して、図８に示すように収容できるので、不使用時のベッド車椅子間移動補助装置１００が被介助者の介護に邪魔になることはない。
【００５４】
以上が本発明の代表的な実施形態の一例であるが、本発明は、上記実施例及び図面に示す実施例に限定することなく、その要旨を変更しない範囲内で適宜変形して実施できるものである。
【符号の説明】
【００５５】
１０    第１の支持体
２０    ヘッド部
２１    第１の管状体部
２２    第２の支持体
２３    回動軸
３０    滑り板
４０    滑り板取付部
４１    第２の管状体部
４２    取付板
５０    凹部
６０    調整機構
６１    円筒部
６２    スリット
６３    ねじ
７０    脱落防止機構
７１    脱落防止溝
７２    突出部
８０    規制機構
８１    規制溝
８２    突出部
１００    ベッド車椅子間移動補助装置
２００    ベッド
２１０    マット
２４０    サイドレール
３００    車椅子
３１０    座面
【図１】
2018029855.tif 000003
【図２】
2018029855.tif 000004
【図３】
2018029855.tif 000005
【図４】
2018029855.tif 000006
【図５】
2018029855.tif 000007
【図６】
2018029855.tif 000008
【図７】
2018029855.tif 000009
【図８】
2018029855.tif 000010